(57)【特許請求の範囲】
【請求項１】
電動機により駆動される駆動軸に固着したブレ−キ部材と、ブレ−キ軸の一端側に固着したラチェットブレ−キ部材とを接離可能に対設し、該ラチェットブレ−キ部材の背面側に近接して設けた電磁コイルの励磁解除でラチェットブレ−キ部材をブレ−キ部材に圧接することで駆動軸の回転を規制し、かつ電磁コイルの励磁によりラチェットブレ−キ部材を強制的にブレ−キ部材から離隔させて駆動軸の制動を解除し、ブレ−キ軸の他端側にはセルフロック機構を介装させて手動巻上部を設け、該セルフロック機構とラチェットブレ−キ部材とが電磁コイルを挟んでその前後に配設されるようにし、該セルフロック機構はブレ−キ軸の他端に設けた第１部材と、手動巻上部の回転に連動して回転する第２部材と、コイル状に形成され両端に突子を有するロックスプリングと、これらを内装するケ−シングからなり、第１部材が回転するとロックスプリングが拡径してケ−シングの内周面に圧接して回転を規制し、第２部材が回転するとロックスプリングが縮径してケ−シングの内周面から離隔して第１部材と第２部材とが一体となって回転するように構成して、電動機によるシャッタ−カ−テン開放時の上限リミット検知で電磁コイルの励磁が解除され電動機の慣性でブレ−キ軸が回転した場合には、ブレ−キ軸の回転が手動巻上部に伝達することを規制する一方、手動でシャッタ−カ−テンを巻き上げる場合には、手動巻上部の回転がブレ−キ軸に伝達して駆動軸を回転させてシャッタ−カ−テンを巻き取るようにしたことを特徴とする電動シャッタ−用開閉機の手動操作装置。
【発明の詳細な説明】
【０００１】
【発明の属する技術分野】
本発明は電動シャッタ−の開閉機の手動操作装置に関するものである。
【０００２】
【従来の技術】
電動シャッタ−の開閉機において、火災時や停電時等の緊急時に対応するべく、手動でもシャッタ−の開閉をできるようにしたものが知られている。このような開閉機の制動機構の構成について説明すると、電動機軸に固着したブレ−キシュ−と、ブレ−キシャフトに固着したブレ−キドラムを接離可能に対向させて配設し、常時はブレ−キドラムの背面に設けた制動スプリングによってブレ−キドラムをブレ−キシュ−に圧接するようにしている。
【０００３】
そして、電動機に通電すると、電磁クラッチが励磁されてブレ−キドラムを引き付けることで、ブレ−キドラムとブレ−キシュ−との間に隙間が生じて電動機軸が回転可能となる。シャッタ−カ−テンを巻き上げた時には、電動機軸を回転させて上限リミットを感知することで電動機の通電が遮断され、電磁クラッチの励磁も停止してブレ−キドラムがブレ−キシュ−に圧接される。ブレ−キドラムはラチェット機構により下降側への回転は規制されているが、上昇側への回転はフリ−であるため、この時、電動機軸の慣性による回転がブレ−キドラムに伝達され、ブレ−キドラムが電動機軸の慣性で回転することとなる。
【０００４】
ところが、通常ブレ−キドラムには手動でシャッタ−カ−テンを巻き上げるためのチェ−ンが懸装されており、ブレ−キドラムが電動機軸の慣性で回転するとチェ−ンが巻き上げられてしまう（このことを、手動操作装置のつれ回りと言う）という不具合があった。かかる不具合を防止する手段としては、チェ−ン挟み板でチェ−ンを抑えつける手段、あるいはコマを用いてブレ−キディスクをロックする手段等が採用されていた。しかしながら、いずれの手段においても、手動操作を行なう際に、抑えつけられている板やコマを外すための力が必要となるため、操作力が重くなっていた。しかも、このような従来のつれ回り防止機構はブレ−キドラムと一体化されていると共に手動巻上部もブレ−キドラムに近接して配設されており、ブレ−キドラムの構造が複雑となり、また、ソレノイドによって機構部品が磁化され、各機構がくっついたまま動作する畏れもあった。
【０００５】
【発明が解決しようとする課題】
本発明は、かかる不具合を解消するべく創案されたものであって、簡単な構成でつれ回りを防止できるものでありながら、手動操作の際の操作力が軽くて済む電動シャッタ−開閉機の手動操作装置を提供することを目的とするものである。
【０００６】
【課題を解決するための手段】
上記課題を解決するために本発明が採用した技術手段は、電動機により駆動される駆動軸に固着したブレ−キ部材と、ブレ−キ軸の一端側に固着したラチェットブレ−キ部材とを接離可能に対設し、該ラチェットブレ−キ部材の背面側に近接して設けた電磁コイルの励磁解除でラチェットブレ−キ部材をブレ−キ部材に圧接することで駆動軸の回転を規制し、かつ電磁コイルの励磁によりラチェットブレ−キ部材を強制的にブレ−キ部材から離隔させて駆動軸の制動を解除し、ブレ−キ軸の他端側にはセルフロック機構を介装させて手動巻上部を設け、該セルフロック機構とラチェットブレ−キ部材とが電磁コイルを挟んでその前後に配設されるようにし、該セルフロック機構はブレ−キ軸の他端に設けた第１部材と、手動巻上部の回転に連動して回転する第２部材と、コイル状に形成され両端に突子を有するロックスプリングと、これらを内装するケ−シングからなり、第１部材が回転するとロックスプリングが拡径してケ−シングの内周面に圧接して回転を規制し、第２部材が回転するとロックスプリングが縮径してケ−シングの内周面から離隔して第１部材と第２部材とが一体となって回転するように構成して、電動機によるシャッタ−カ−テン開放時の上限リミット検知で電磁コイルの励磁が解除され電動機の慣性でブレ−キ軸が回転した場合には、ブレ−キ軸の回転が手動巻上部に伝達することを規制する一方、手動でシャッタ−カ−テンを巻き上げる場合には、手動巻上部の回転がブレ−キ軸に伝達して駆動軸を回転させてシャッタ−カ−テンを巻き取るようにしたものである。
【０００７】
本願発明の特徴は、ブレ−キ軸の一端側にはラチェットブレ−キ部材を、他端側にはセルフロック機構を設けることで、従来一体化されていたラチェットブレ−キとつれ回り防止機構とを分離すると共に、ブレ−キ機構と手動巻上機構とを該セルフロック機構を介して連動させた点にあり、セルフロック機構は、ロックスプリングを用いることでブレ−キ軸の回転が手動巻上部に伝達されるのを規制する一方、手動巻上部の軸部の回転がブレ−キ軸に伝達されるように構成されている。
【０００８】
好ましくは、第１部材は円形プレ−ト状の本体と、該本体の周縁の所望部位を本体面部と鉛直方向に延出形成した延出片とからなり、第２部材は一端側に面部を有し、他端側を開口状とした短筒状の本体と、該面部より面部と鉛直方向に延出する軸部と、本体の周面の所望部位を軸部の延出方向に切欠形成した切欠部とからなる。第１部材の延出片の幅は第２部材の切欠部の幅よりも小さい寸法を有し、両者を対向させて組み合わせると、第１部材の延出片が第２部材の切欠部に周方向（回転方向）に遊びを持って位置するようになっており、ロックスプリングを両者の外周に設け、その両端部の突子を前記遊びの部分に位置させる。
【０００９】
【発明の実施の形態】
図１は電動シャッタ−の開閉機の内観を示す側面図であって、ケ−ス１に内装された駆動軸２の一端側は減速部３を介して出力軸４に伝動連結され、出力軸４の回転は出力軸４の端部に設けたスプロケット５を介して図示しないシャッタ−の巻取軸に伝達されるようになっている。
【００１０】
駆動軸２の他端にはブレ−キシュ−６ａを有するブレ−キ部材６が固着されており、駆動軸２とブレ−キ部材６とは一体として回転するようになっている。駆動軸２の他端側には駆動軸２と同一軸線上に位置してブレ−キ軸７が回転可能に配設してあり、ブレ−キ軸７の一端にはブレ−キ部材６に対向してラチェットブレ−キ部材８が固着されている。ブレ−キ軸７は長さ方向に移動可能であり、ブレ−キ部材６とラチェットブレ−キ部材８とは接離可能に配設されている。
【００１１】
ブレ−キ軸７は制動スプリング９によって駆動軸側へ付勢されており、ラチェットブレ−キ部材８は常時はブレ−キ部材６に圧接されている。ラチェットブレ−キ部材８はケ−ス側に着脱自在に設けたラチェット爪８ａの係合によってシャッタ−カ−テンを下降させる側の回転が規制されており、かかるラチェットブレ−キ部材８をブレ−キ部材６に圧接することで駆動軸２の回転が規制されている。ラチェットブレ−キ部材８はいずれの回転方向にも対応できるような形状を有しており、ラチェット爪８ａをケ−ス１から取外してその向きを変えるだけで左右の勝手を変更することができ、右型・左型に対応できる。
【００１２】
ラチェットブレ−キ部材８の背面側には電磁コイル１０がラチェットブレ−キ部材８に近接して配設してあり、電動機１１に通電すると電磁コイル１０が励磁されてラチェットブレ−キ部材８がブレ−キ部材６から離隔し、駆動軸２の制動が解除される。駆動軸２の回転によってシャッタ−カ−テンが降下すると、所定の下限位置で図示しないリミットスイッチによって通電が遮断され、電磁コイル１０が非励磁されて、ラチェットブレ−キ部材８がブレ−キ部材６に圧接される。次に、開口部を開放するには、電動機１１に通電すると電磁コイル１０が励磁されてラチェットブレ−キ部材８がブレ−キ部材６から離隔し、駆動軸２の回転によってシャッタ−カ−テンが巻き上げられ、所定の上限位置で図示しないリミットスイッチによって通電が遮断され、電磁コイル１０が非励磁されてラチェットブレ−キ部材８がブレ−キ部材６に圧接される。尚、ラチェットブレ−キ部材８はシャッタ−カ−テンを巻き上げる方向の回転は規制されていないので、ラチェットブレ−キ部材８がシャッタ−カ−テンの巻取りを妨げることはない。
【００１３】
ブレ−キ軸７はブレ−キ解除レバ−１２に挿通されており、自動閉鎖装置あるいは手動によっても制動を解除することができるようになっている。解除レバ−１２が揺動すると解除レバ−１２の凸部１２ａがブレ−キ軸７に設けられた後述するワッシャ１８に当接してブレ−キ軸７を強制的に軸方向に移動させ、ラチェットブレ−キ部材８をブレ−キ部材６から離隔するようしている。尚、ブレ−キ軸７は軸方向に移動可能である必要があるが、ブレ−キ軸７は１ｍｍ前後移動できれば十分である。解除レバ−１２の先端部１２ｂは図示しない自動閉鎖装置のケ−ス内にまで延出しており、火災等の検知信号によって作動する作動杆が強制的に解除レバ−１２を揺動させ、シャッタ−カ−テンを自重で降下させるようにしている。また、解除レバ−１２には図示しない穿孔が設けてあり、図示しないワイヤを該穿孔に連結することで手動でも解除レバ−１２を揺動できるようになっている。
【００１４】
停電時等においては、手動でシャッタ−カ−テンを巻き上げる必要があるが、本発明では、チェ−ンホイ−ル１３に懸装した図示しないチェ−ンを用いてチェ−ンホイ−ル１３を回転させ、チェ−ンホイ−ル１３の回転をシャッタ−カ−テンの巻取軸に伝動させることでシャッタ−カ−テンを巻き上げるようにしている。チェ−ンホイ−ル１３とブレ−キ軸７とはセルフロック機構を介して連動するようになっており、以下その構成について説明する。
【００１５】
セルフロック機構は第１部材１４と、第２部材１５と、ロックスプリング１６と、前記部材を内装するケ−シング１７とからなる。第１部材１４は円形プレ−ト状の本体１４ａと、該本体１４ａの周縁の所望部位を本体１４ａと鉛直方向（ブレ−キ軸７の軸方向）に延出形成した延出片１４ｂとからなり、本体中央部にはブレ−キ軸７を挿通させる挿通孔１４ｃが設けてある。ブレ−キ軸７の他端の周面には螺子が刻設してあり、ブレ−キ軸７はワッシャ１８、第１部材１４に挿通されると共に、その端部に止め具２０を螺合することで第１部材１４に固着されている。符号１９はケ−ス１に設けた図示しない凹部に装着されるガイドプレ−トであり、ガイドプレ−ト１９には挿通孔１９ａが形成されており、ワッシャ１８や第１部材１４の一部を挿通させるようになっている。
【００１６】
第２部材１５は一端側に面部を有し、他端側を開口状とした短筒状の本体１５ａからなり、該面部の中央部位には面部と鉛直方向に延出する軸部１５ｂが形成されていると共に、本体１５ａの周面の所望部位を軸部１５ｂの延出方向に切欠いて切欠部１５ｃが形成されている。第１部材１４と第２部材１５は略同じ径を有すると共に、第１部材１４の延出片１４ｂの幅は第２部材１５の切欠部１５ｃの幅よりも小さい寸法を有し、両者を対向させて組み合わせると、第１部材１４の延出片１４ｂが第２部材１５の切欠部１５ｃに周方向（回転方向）に遊びを持って位置するようになっている。
【００１７】
ケ−シング１７は一端側に面部を有し、他端側を開口状とした短筒状の部材からなり、ブレ−キ部のケ−シング１に装着されている。面部には第２部材１５の軸部１５ｂを挿通させる挿通孔１７ａが設けてあり、挿通孔１７ａにブッシュ２１を設けて軸部１５ｂを回転自在に受け入れるようにしている。ケ−シング１７より突出する軸部１５ｂにはチェ−ンホイ−ル１３が固着してあり、チェ−ンホイ−ル１３を回転させることで第２部材１５が回転するようになっている。
【００１８】
ロックスプリング１６は、線状部材を渦巻状に形成したコイルスプリングであり、両端には内向きの径方向に突出する突子１６ａ、１６ａが形成されている。ロックスプリング１６は、第１部材１４と第２部材１５を組み合わせたその外周面に巻装してあり、端部の突子１６ａが第１部材１４の延出片１４ｂと第２部材１５の切欠部１５ｃの端縁１５ｄとの間に位置するようにしてある。
【００１９】
この状態で、第１部材１４が回転すると第１部材１４の延出片１４ｂがスプリング１６の突子１６ａに当接しながら回転してスプリング１６が径方向に拡開してケ−シング１７の内周面に圧接して回転が規制される。スプリング１６は常時ケ−シング１７の内周面に軽く接する状態となっており、スプリング１６が少し拡開しただけでもスプリング１６がケ−シング１７の内周面に圧接して制動が働くようになっている。第２部材１５が回転すると第２部材１５の切欠縁１５ｄがスプリング１６の突子１６ａに当接しながら回転し、スプリング１６は径方向に縮小して第２部材１５の本体１５ａの外周面に密着するので、スプリング１６がケ−シング１７の内周面に摺接することがない。よって、第２部材１５の切欠縁１５ｄが第１部材１４の延出片１４ｂに当接しながら一体として回転することで、第２部材１５の回転が第１部材１４に伝達される。
【００２０】
このように構成された開閉機において、シャッタ−カ−テンを降下させて開口部を閉鎖するには、電動機１１に通電して電磁コイル１０を励磁させてラチェットブレ−キ部材８を引き付けることで制動を解除して駆動軸２を回転させてシャッタ−カ−テンを降下させる。あるいは、自動閉鎖装置ないし手動にてブレ−キ解除レバ−１２を揺動させて駆動軸２の制動を解除させ、自重でシャッタ−カ−テンを降下させる。自重でシャッタ−カ−テンが降下する際には図示しないガバナ機構によって制動を受けながら降下するようになっている。そして、下降するシャッタ−カ−テンは図示しない下限リミット機構、あるいは下限位置調整機構によって所定の位置で停止するようになっている。
【００２１】
次に、シャッタ−カ−テンを巻き上げて開口部を開放するには、電動機１１に通電して電磁コイル１０を励磁させてラチェットブレ−キ部材８を引き付けることで制動を解除して駆動軸２を回転させてシャッタ−カ−テンを巻き上げる。シャッタ−カ−テンが所定位置まで上昇すると上限リミット機構によって電動機１１への通電が遮断され、電磁コイル１０の励磁も解除されてラチェットブレ−キ部材８がブレ−キ部材６に圧接される。この時、電動機１１の慣性力によって駆動軸２が少し回転し、その回転がラチェットブレ−キ部材８に伝達されるが、ブレ−キ軸７が回転すると、それに伴って第１部材１４が回転してロックスプリング１６が拡径してケ−シング１７の内周面に摺接することで回転が規制される。
【００２２】
また、停電時等において、手動でシャッタ−カ−テンを巻き上げる場合には、チェ−ンホイ−ル１３に設けた図示しないチェ−ンによって第２部材１５を回転させると、第２部材１５の回転に伴い、スプリング１６が縮径して第２部材１５の本体１５ａの外周に密着し、第２部材１５の切欠部１５ｃの端縁１５ｄが第１部材１４の延出片１４ｂに当接することで、第１部材１４と第２部材１５とが一体として回転するようになっている。この時、ラチェットブレ−キ部材８はブレ−キ部材６に圧接されているので、チェ−ンホイ−ル１３の回転に連動して駆動軸２が回転し、シャッタ−カ−テンの巻取軸を回転させてシャッタ−カ−テンを巻き取るようになっている。このように、手動巻取時の操作は、つれ回り防止の機構の影響を受けることがないので、より軽い操作力でシャッタ−カ−テンを巻き取ることができる。
【００２３】
【発明の効果】
本発明は上述したように構成されので以下のような有利な効果を奏するものである。
（１）手動巻取時の操作は、つれ回り防止の機構の影響を受けることがないので、従来のようにつれ回り防止機構に抗して操作を行なう必要がなく、より軽い操作力でシャッタ−カ−テンを巻き取ることができる。
（２）セルフロック機構とラチェットブレ−キ部材とを分離したので、ラチェットブレ−キ部材を構成する部品点数が少なくなり、製造・組立が容易になると共にコストダウンを図ることができる。また、セルフロック機構とラチェットブレ−キ部材とは電磁コイルを挟んでその前後に配設されるので、セルフロック機構がソレノイドの影響を受けることがない。
（３）従来のつれ回り防止機構が一体化されたラチェットブレ−キ部材に対して、本発明のラチェットブレ−キ部材は単板から構成されるので、ラチェットブレ−キ部材を引き付けるソレノイドを小型化することができる。
【図面の簡単な説明】
【図１】電動シャッタ−の開閉機の内観を示す側面図である。
【図２】図１における駆動軸の制動機構を示す分解側面図である。
【図３】図１におけるセルフロック機構を示す分解側面図である。
【図４】ケ−シングを省略したセルフロック機構の分解斜視図である。
【符号の説明】
２ 駆動軸６ ブレ−キ部材７ ブレ−キ軸８ ラチェットブレ−キ部材１１ 電動機１３ チェ−ンホイ−ル１４ 第１部材１５ 第２部材１６ ロックスプリング１７ ケ−シング
【図１】
0003814740.tif 000002
【図２】
0003814740.tif 000003
【図３】
0003814740.tif 000004
【図４】
0003814740.tif 000005